(57)【要約】【課題】  リモートコンデンサ型の空気調和機において、複数の室外機間の冷媒流量を均一化し、冷凍サイクル信頼性および性能を向上させる。【解決手段】  リモートコンデンサ型の空気調和機は、圧縮機１と、室内熱交換器１５と、室内減圧装置１４とを有する室内機１７と、この室内機に配管で接続され、室外熱交換器６及び室外減圧装置７を有する室外機１８とを備えている。室外機は複数台並列に設けられると共に、各室外機にはレシーバ１０が設けられ、このレシーバと室外熱交換器との間に室外減圧装置が配設され、この室外減圧装置は開度調整可能な膨張弁で構成されている。更に室外減圧装置をバイパスするバイパス回路を設け、このバイパス回路にレシーバ側への流れのみを許容する逆止弁９を備えている。【選択図】図１
2009228975.tif 000002
【特許請求の範囲】
【請求項１】
圧縮機と、室内熱交換器と、室内減圧装置とを有する室内機と、この室内機に配管で接続され、室外熱交換器及び室外減圧装置を有する室外機とを備えたリモートコンデンサ型の空気調和機において、
前記室外機は複数台並列に設けられると共に、各室外機にはレシーバが設けられ、このレシーバと前記室外熱交換器との間に前記室外減圧装置が配設され、この室外減圧装置は開度調整可能な膨張弁で構成され、更に前記室外減圧装置をバイパスするバイパス回路を設け、このバイパス回路に前記レシーバ側への流れのみを許容する逆止弁を備えていることを特徴とするリモートコンデンサ型の空気調和機。
【請求項２】
請求項１において、前記バイパス回路内に、前記逆止弁と直列に電磁弁を設けることを特徴とするリモートコンデンサ型の空気調和機。
【請求項３】
請求項２において、前記電磁弁は前記室外減圧装置の開度が全開ならば開、前記室外減圧装置の開度が全開以外ならば閉とすることを特徴とするリモートコンデンサ型の空気調和機。
【発明の詳細な説明】
【技術分野】
【０００１】
本発明は室内機に圧縮機，室内熱交換器，室内減圧装置を有し、室外機に室外熱交換器，室外減圧装置を有し、これらを連結してなるリモートコンデンサ型の空気調和機に関し、特に、同一冷凍サイクル系統内に複数台の室外機を並列に接続するものに関する。
【背景技術】
【０００２】
室内機に圧縮機を備えたリモートコンデンサ型の空気調和機において、室内機及び室外機間を接続する配管が長くなっても適切に冷暖房できるようにするため、従来技術としては例えば特許文献１および２に記載のものがある。
【０００３】
【特許文献１】特開昭６０−１２６５５７号公報
【特許文献２】特開昭６０−１６５４６６号公報
【発明の開示】
【発明が解決しようとする課題】
【０００４】
しかしながら、上記特許文献１および２の構造では、独立した複数台の室外機を設けた場合に一方の室外熱交換器に冷媒が溜まりこみ、それぞれの室外熱交換器に流入する冷媒量が異なる場合の圧力損失については十分配慮がされていない。運転停止時に一台の室外機の熱交換器内に冷媒が溜まり込み、運転開始時に室外機の熱交換器に保有する冷媒の量が異なると、冷媒を多く保有する方の室外機は圧力損失が大きくなるため冷媒流量が少なくなり、冷媒を多く保有しない方の室外機は圧力損失が小さくなるため冷媒流量が多くなる。この状態で室外機間の圧力状態は均一になることから、結果的に一方は冷媒の流速が早くなることにより圧力損失が増大し、他方も熱交換器が液冷媒に塞がれ通路が減少することにより圧力損失が増大する。この室外機間の圧力がバランスしたところで運転を継続し、冷凍サイクルとして本来の熱交換量，冷媒量が変化し運転状態が不安定になる場合がある。
【０００５】
本発明の目的は、リモートコンデンサ型の空気調和機において、複数の室外機間の冷媒流量を均一化し、冷凍サイクル信頼性および性能を向上することにある。本発明の他の目的は、暖房運転時の除霜時の除霜性能を向上させることにある。
【課題を解決するための手段】
【０００６】
上記目的を達成するために、本発明は、圧縮機と、室内熱交換器と、室内減圧装置とを有する室内機と、この室内機に配管で接続され、室外熱交換器及び室外減圧装置を有する室外機とを備えたリモートコンデンサ型の空気調和機において、前記室外機は複数台並列に設けられると共に、各室外機にはレシーバが設けられ、このレシーバと前記室外熱交換器との間に前記室外減圧装置が配設され、この室外減圧装置は開度調整可能な膨張弁で構成され、更に前記室外減圧装置をバイパスするバイパス回路を設け、このバイパス回路に前記レシーバ側への流れのみを許容する逆止弁を備えていることを特徴とする。
【０００７】
また、上記のものにおいて、前記バイパス回路内に、前記逆止弁と直列に電磁弁を設けることが望ましい。
【０００８】
また、上記のものにおいて、前記電磁弁は前記室外減圧装置の開度が全開ならば開、前記室外減圧装置の開度が全開以外ならば閉とすることが望ましい。
【発明の効果】
【０００９】
本発明によれば、室外機は複数台並列に設けられると共に、各室外機にはレシーバが設けられ、このレシーバと前記室外熱交換器との間に前記室外減圧装置が配設され、この室外減圧装置は開度調整可能な膨張弁で構成され、更に前記室外減圧装置をバイパスするバイパス回路を設け、このバイパス回路に前記レシーバ側への流れのみを許容する逆止弁を備えているため、冷房運転時における室外機に冷媒が溜まり込むのを防止し、冷媒流速増大時の圧力損失増加の影響を小さくすることができ、室外機間の冷媒流量を均一とし安定した冷房運転と性能向上が可能となる。
【００１０】
また、暖房運転時には室外減圧装置をバイパスする回路は逆止弁により遮断されるため、室外減圧装置のみを通過し、その減圧効果により、適正な冷凍サイクル状態を維持することが可能となる。
【００１１】
さらに、逆止弁と直列に電磁弁を設け、この電磁弁を室外減圧装置の開度が全開ならば開、室外減圧装置の開度が全開以外ならば閉とするように構成することにより、室外機の除霜を効率よく実施することが可能となる。
【発明を実施するための最良の形態】
【００１２】
以下、本発明の実施例について図を用いて説明する。
【００１３】
図１は本発明の実施例による空気調和機のサイクル系統図である。冷房運転の場合、複数台の圧縮機１ａ，１ｂで圧縮された高温高圧のガス冷媒は圧縮機１から吐出し、四方弁２，ガス接続配管４，室外ガス分岐管５を経て、複数台の室外熱交換器６ａ，６ｂへと流入し、ここで熱交換して凝縮液化する。凝縮液化された冷媒は全開とされた室外減圧装置７ａ，７ｂを経て、余剰冷媒をレシーバ１０ａ，１０ｂに残し、室外液分岐管１１を経て、液接続配管１２を通り室内機１７へ送られる。送られた液冷媒は室内減圧装置１４へ流入し、ここで低圧となり室内熱交換器１５で熱交換して蒸発・ガス化する。その後ガス冷媒は、四方弁２，アキュームレータ１６を経て圧縮機１へ戻る。
【００１４】
暖房運転の場合、複数台の圧縮機１ａ，１ｂで圧縮された高温高圧のガス冷媒は圧縮機１ａ，１ｂから吐出され、四方弁２を経て、室内熱交換器１５に流入し、ここで熱交換して凝縮液化する。凝縮液化した冷媒は全開とされた室内減圧装置１４および室内液阻止弁１３，液接続配管１２，室外液分岐管１１を経て、複数台のレシーバ１０ａ，１０ｂ内に流入し、余剰冷媒をレシーバ１０ａ，１０ｂ内に残し、室外減圧装置７ａ，７ｂで減圧され室外熱交換器６ａ，６ｂで熱交換して蒸発・ガス化する。ガス化した冷媒は室外ガス分岐管５，ガス接続配管４，室内ガス阻止弁３，四方弁２，アキュームレータ１６を経て、複数台の圧縮機１ａ，１ｂへ戻る。
【００１５】
また、除霜運転の場合は四方弁２を切り換えて前記冷房運転時のサイクルにて運転される。
【００１６】
冷房運転開始時に室外熱交換器６ａ側に液冷媒が多く溜まり込み、室外熱交換器６ｂ側には殆ど液冷媒の溜まり込みがない場合、室外熱交換器６ａ側の液冷媒は室外減圧装置７ａに一度に流れ込もうとするが室外減圧装置７ａは容量を圧縮機１台分、即ち本実施例では２台の圧縮機から流出する全冷媒量の半分の容量としていることから多くの冷媒を流すことができず、室外熱交換器６ａ内には冷媒が多く溜まり込んだままとなる。
【００１７】
また、室外熱交換器６ｂ側では液冷媒の溜まり込みが殆どないことから液冷媒よりも体積的に大きくなるガス冷媒が流れ込もうとするが前記同様に室外減圧装置７ｂの容量は圧縮機１台分の液冷媒の容量であることから必要な冷媒を流しきれなくなる。
【００１８】
そこで、冷房運転時に全開となる室外減圧装置をバイパスするバイパス回路を設け、このバイパス回路に電磁弁８，逆止弁９を設け、電磁弁８に通電し開くことにより冷媒は前記室外減圧装置だけでなくバイパス回路からも流れるから、冷媒の流れを良くすることができ、前記運転開始前の室外熱交換器６ａ，６ｂに冷媒の偏りがあった場合でも冷媒をスムーズに流すことが可能となり、複数の室外機間を流れる冷媒の偏りは発生しにくくなり、冷房運転時の性能および信頼性を向上できる。
【００１９】
また、暖房運転時はバイパス回路を液冷媒が流れるのを逆止弁９で遮断するので、室外減圧装置のみで制御することが可能となる。
【００２０】
さらに、除霜運転時は前記複数の室外機は冷房サイクルとなるが、除霜が終了した室外機は室外減圧装置を絞り、電磁弁８を閉じることによって、冷媒の流れを減少させ、除霜が終了していない室外機１８への冷媒の流れを多くすることで効率よく除霜することが可能となる。
【図面の簡単な説明】
【００２１】
【図１】本発明の実施例を示すサイクル系統図。
【符号の説明】
【００２２】
１  圧縮機
２  四方弁
３  室内ガス阻止弁
４  ガス接続配管
５  室外ガス分岐管
６  室外熱交換器
７  室外減圧装置
８  電磁弁
９  逆止弁
１０  レシーバ
１１  室外液分岐管
１２  液接続配管
１３  室内液阻止弁
１４  室内減圧装置
１５  室内熱交換器
１６  アキュームレータ
１７  室内機
１８  室外機
【図１】
2009228975.tif 000003